(57)【要約】【課題】観察者に認識される色が等色関数の個人差に起因してばらつくことが軽減された表示装置を提供する。【解決手段】表示装置（１００）は、自発光型の表示パネル（１０）を備え、複数の画素（Ｐ）を有する。各画素は、赤サブ画素（Ｒ）、緑サブ画素（Ｇ）および青サブ画素（Ｂ）を含む複数のサブ画素によって構成される。表示パネルは、赤色発光素子（１ｒ）と、緑色発光素子（１ｇ）と、青色発光素子（１ｂ）とを有する。赤色発光素子、緑色発光素子および青色発光素子が発する赤色光、緑色光および青色光のスペクトル半値幅は、それぞれ１０ｎｍ以下である。各画素を構成する複数のサブ画素は、黄サブ画素（Ｙｅ）をさらに含み、表示パネルは、黄サブ画素に対応する領域に設けられ、主波長が５５０ｎｍ以上６００ｎｍ以下の黄色光を発する黄色発光素子（１ｙ）をさらに有する。【選択図】図１
2016173876.tif 000002
【特許請求の範囲】
【請求項１】
自発光型の表示パネルを備え、
複数の画素を有する表示装置であって、
前記複数の画素のそれぞれは、赤サブ画素、緑サブ画素および青サブ画素を含む複数のサブ画素によって構成され、
前記表示パネルは、前記赤サブ画素に対応する領域に設けられた赤色発光素子と、前記緑サブ画素に対応する領域に設けられた緑色発光素子と、前記青サブ画素に対応する領域に設けられた青色発光素子とを有し、
前記赤色発光素子、前記緑色発光素子および前記青色発光素子が発する赤色光、緑色光および青色光のスペクトル半値幅は、それぞれ１０ｎｍ以下であり、
前記複数のサブ画素は、黄サブ画素をさらに含み、
前記表示パネルは、前記黄サブ画素に対応する領域に設けられ、主波長が５５０ｎｍ以上６００ｎｍ以下の黄色光を発する黄色発光素子をさらに有する表示装置。
【請求項２】
自発光型の表示パネルを備え、
複数の画素を有する表示装置であって、
前記複数の画素のそれぞれは、赤サブ画素、緑サブ画素および青サブ画素を含む複数のサブ画素によって構成され、
前記表示パネルは、前記赤サブ画素に対応する領域に設けられた赤色発光素子と、前記緑サブ画素に対応する領域に設けられた緑色発光素子と、前記青サブ画素に対応する領域に設けられた青色発光素子とを有し、
前記青色発光素子が発する青色光は、波長が５２５ｎｍを超える成分を実質的に含まず、且つ、そのスペクトル半値幅が２０ｎｍ超である表示装置。
【請求項３】
自発光型の表示パネルを備え、
複数の画素を有する表示装置であって、
前記表示パネルは、赤色光を発する赤色発光素子と、緑色光を発する緑色発光素子と、互いに異なるスペクトルの青色光を発する第１青色発光素子および第２青色発光素子とを有する表示装置。
【請求項４】
前記複数の画素のそれぞれは、赤サブ画素、緑サブ画素および青サブ画素を含む複数のサブ画素によって構成され、
前記表示パネルの前記青サブ画素に対応する領域に、前記第１青色発光素子および前記第2青色発光素子の両方が設けられている請求項３に記載の表示装置。
【請求項５】
液晶層を含む液晶表示パネルと、
前記液晶表示パネルに光を照射する照明装置と、を備え、
複数の画素を有する表示装置であって、
前記照明装置は、赤色光を発する赤色光源と、緑色光を発する緑色光源と、青色光を発する青色光源とを有し、
前記複数の画素のそれぞれは、赤サブ画素、緑サブ画素、青サブ画素および黄サブ画素を含む複数のサブ画素によって構成され、
前記照明装置は、主波長が５５０ｎｍ以上６００ｎｍ以下の黄色光を発する黄色光源をさらに有する表示装置。
【発明の詳細な説明】
【技術分野】
【０００１】
本発明は、表示装置に関し、特に、広色域化に適した表示装置に関する。
【背景技術】
【０００２】
近年、表示装置には、いっそうの広色域化（色再現範囲の拡大）が求められている。
【０００３】
有機ＥＬ（エレクトロルミネッセンス）表示装置のような自発光型の表示装置では、例えば、表示に用いられる３つの原色である赤、緑および青のスペクトルを狭帯域にすることにより、色再現範囲を拡大することができる。また、自発光型の表示装置ではない液晶表示装置について、表示に用いられる原色の数を４以上に増やす（多原色化する）ことによって色再現範囲を広くする技術が提案されている（例えば特許文献１）。
【先行技術文献】
【特許文献】
【０００４】
【特許文献１】国際公開第２０１２／００５０２２号
【発明の概要】
【発明が解決しようとする課題】
【０００５】
しかしながら、広色域化のために三原色（赤、緑および青）のスペクトルの半値幅を狭くすると、三原色の加法混色によって作り出される色（表示装置によって表示される色）に対し、測色・視覚カラーマッチの不一致（個人差）が生じる。つまり、表示装置で同じ色を表示しても、等色関数の個人差により、複数の観察者は各自別の色として認識してしまう。また、この個人差による影響は、三原色の各色のスペクトルの半値幅が狭くなればなるほど、大きくなる傾向がある。また、多原色化された液晶表示装置についても、等色関数の個人差に起因した色のばらつきは存在する。
【０００６】
本発明は、上記問題に鑑みてなされたものであり、その目的は、観察者に認識される色が等色関数の個人差に起因してばらつくことが軽減された表示装置を提供することにある。
【課題を解決するための手段】
【０００７】
本発明の実施形態による表示装置は、自発光型の表示パネルを備え、複数の画素を有する表示装置であって、前記複数の画素のそれぞれは、赤サブ画素、緑サブ画素および青サブ画素を含む複数のサブ画素によって構成され、前記表示パネルは、前記赤サブ画素に対応する領域に設けられた赤色発光素子と、前記緑サブ画素に対応する領域に設けられた緑色発光素子と、前記青サブ画素に対応する領域に設けられた青色発光素子とを有し、前記赤色発光素子、前記緑色発光素子および前記青色発光素子が発する赤色光、緑色光および青色光のスペクトル半値幅は、それぞれ１０ｎｍ以下であり、前記複数のサブ画素は、黄サブ画素をさらに含み、前記表示パネルは、前記黄サブ画素に対応する領域に設けられ、主波長が５５０ｎｍ以上６００ｎｍ以下の黄色光を発する黄色発光素子をさらに有する。
【０００８】
ある実施形態において、前記黄サブ画素によって表示される黄の色度は、色度図上で前記赤サブ画素、前記緑サブ画素および前記青サブ画素によって表示される赤、緑および青の色度を頂点とする三角形の辺上または内側に位置する。
【０００９】
本発明の実施形態による表示装置は、自発光型の表示パネルを備え、複数の画素を有する表示装置であって、前記複数の画素のそれぞれは、赤サブ画素、緑サブ画素および青サブ画素を含む複数のサブ画素によって構成され、前記表示パネルは、前記赤サブ画素に対応する領域に設けられた赤色発光素子と、前記緑サブ画素に対応する領域に設けられた緑色発光素子と、前記青サブ画素に対応する領域に設けられた青色発光素子とを有し、前記青色発光素子が発する青色光は、波長が５２５ｎｍを超える成分を実質的に含まず、且つ、そのスペクトル半値幅が２０ｎｍ超である。
【００１０】
本発明の実施形態による表示装置は、自発光型の表示パネルを備え、複数の画素を有する表示装置であって、前記表示パネルは、赤色光を発する赤色発光素子と、緑色光を発する緑色発光素子と、互いに異なるスペクトルの青色光を発する第１青色発光素子および第２青色発光素子とを有する。
【００１１】
ある実施形態において、前記複数の画素のそれぞれは、赤サブ画素、緑サブ画素および青サブ画素を含む複数のサブ画素によって構成され、前記表示パネルの前記青サブ画素に対応する領域に、前記第１青色発光素子および前記第２青色発光素子の両方が設けられている。
【００１２】
ある実施形態において、前記複数の画素のそれぞれは、赤サブ画素、緑サブ画素および青サブ画素を含む複数のサブ画素によって構成され、前記複数の画素は、前記表示パネルの前記青サブ画素に対応する領域に前記第１青色発光素子が設けられ、且つ、前記第２青色発光素子は設けられていない画素と、前記表示パネルの前記青サブ画素に対応する領域に前記第２青色発光素子が設けられ、且つ、前記第１青色発光素子は設けられていない画素とを含む。
【００１３】
ある実施形態において、前記複数のサブ画素は、黄サブ画素をさらに含み、前記表示パネルは、前記黄サブ画素に対応する領域に設けられ、主波長が５５０ｎｍ以上６００ｎｍ以下の黄色光を発する黄色発光素子をさらに有する。
【００１４】
ある実施形態において、前記赤色発光素子および前記緑色発光素子が発する赤色光および緑色光のスペクトル半値幅は、それぞれ３０ｎｍ以下である。
【００１５】
ある実施形態において、前記赤色発光素子および前記緑色発光素子が発する赤色光および緑色光のスペクトル半値幅は、それぞれ１０ｎｍ以下である。
【００１６】
本発明の実施形態による表示装置は、液晶層を含む液晶表示パネルと、前記液晶表示パネルに光を照射する照明装置と、を備え、複数の画素を有する表示装置であって、前記照明装置は、赤色光を発する赤色光源と、緑色光を発する緑色光源と、青色光を発する青色光源とを有し、前記複数の画素のそれぞれは、赤サブ画素、緑サブ画素、青サブ画素および黄サブ画素を含む複数のサブ画素によって構成され、前記照明装置は、主波長が５５０ｎｍ以上６００ｎｍ以下の黄色光を発する黄色光源をさらに有する。
【発明の効果】
【００１７】
本発明の実施形態によると、観察者に認識される色が等色関数の個人差に起因してばらつくことが軽減された表示装置が提供される。
【図面の簡単な説明】
【００１８】
【図１】本発明の実施形態による表示装置１００を模式的に示す平面図である。
【図２】表示装置１００の赤色発光素子１ｒ、緑色発光素子１ｇ、青色発光素子１ｂおよび黄色発光素子１ｙが発する赤色光、緑色光、青色光および黄色光のスペクトルを示すグラフである。
【図３】ＣＩＥの等色関数を示すグラフである。
【図４】（ａ）、（ｂ）および（ｃ）は、ＣＩＥの等色関数、観察者Ｖ１の等色関数および観察者Ｖ２の等色関数を示すグラフであり、（ａ）はＸ（λ）を示しており、（ｂ）はＹ（λ）を示しており、（ｃ）はＺ（λ）を示している。
【図５】（ａ）、（ｂ）および（ｃ）は、ＣＩＥの等色関数、観察者Ｖ１の等色関数および観察者Ｖ２の等色関数を示すグラフであり、（ａ）はＸ（λ）を示しており、（ｂ）はＹ（λ）を示しており、（ｃ）はＺ（λ）を示している。
【図６】（ａ）、（ｂ）および（ｃ）は、ＣＩＥの等色関数、観察者Ｖ１の等色関数および観察者Ｖ２の等色関数を示すグラフであり、（ａ）はＸ（λ）を示しており、（ｂ）はＹ（λ）を示しており、（ｃ）はＺ（λ）を示している。
【図７】５１人分の等色関数から算出された、波長ごとの標準偏差を示すグラフである。
【図８】表示装置１００の赤色発光素子１ｒ、緑色発光素子１ｇ、青色発光素子１ｂおよび黄色発光素子１ｙが発する赤色光、緑色光、青色光および黄色光のスペクトルを示すグラフであり、５１人分の等色関数から算出された等色関数の標準偏差も併せて示している。
【図９】三原色のスペクトル半値幅が６．８３ｎｍである場合、２６．２８ｎｍである場合および１２４．５１ｎｍである場合について、色再現範囲を示すｕ’ｖ’色度図である。
【図１０】＃１、＃２および＃３の３つの場合における赤、緑および青のスペクトルを示すグラフである。
【図１１】比較例１の表示装置と、表示装置１００とについて、色再現範囲を示すｕ’ｖ’色度図である。
【図１２】比較例１の表示装置と、表示装置１００とについて、個人差ΔＥを計算した結果を示すグラフである。
【図１３】表示装置１００の赤色発光素子１ｒ、緑色発光素子１ｇ、青色発光素子１ｂおよび黄色発光素子１ｙが発する赤色光、緑色光、青色光および黄色光のスペクトルを示すグラフである。
【図１４】表示装置１００の赤色発光素子１ｒ、緑色発光素子１ｇ、青色発光素子１ｂおよび黄色発光素子１ｙが発する赤色光、緑色光、青色光および黄色光のスペクトルを示すグラフであり、５１人分の等色関数から算出された等色関数の標準偏差も併せて示している。
【図１５】比較例１の表示装置と、表示装置１００とについて、色再現範囲を示すｕ’ｖ’色度図である。
【図１６】比較例１の表示装置と、表示装置１００とについて、個人差ΔＥを計算した結果を示すグラフである。
【図１７】ＳＯＣＳデータベースから抜粋された１５色（色番号１〜１５）のスペクトルを示すグラフである。
【図１８】ＳＯＣＳデータベースから抜粋された１５色の色度を示すｕ’ｖ’色度図である。
【図１９】５１人分の等色関数を示すグラフである。
【図２０】本発明の実施形態による表示装置２００を模式的に示す平面図である。
【図２１】表示装置２００の赤色発光素子１ｒ、緑色発光素子１ｇおよび青色発光素子１ｂが発する赤色光、緑色光および青色光のスペクトルを示すグラフである。
【図２２】表示装置２００の赤色発光素子１ｒ、緑色発光素子１ｇおよび青色発光素子１ｂが発する赤色光、緑色光および青色光のスペクトルを示すグラフであり、５１人分の等色関数から算出された等色関数の標準偏差も併せて示している。
【図２３】比較例２の表示装置と、表示装置２００とについて、色再現範囲を示すｕ’ｖ’色度図である。
【図２４】比較例２の表示装置と、表示装置２００とについて、個人差ΔＥを計算した結果を示すグラフである。
【図２５】比較例２の表示装置の赤、緑および青のスペクトルを示すグラフである。
【図２６】本発明の実施形態による表示装置２００Ａを模式的に示す平面図である。
【図２７】＃４、＃５および＃６の３つの場合について、色再現範囲を示すｕ’ｖ’色度図である。
【図２８】＃４、＃５および＃６の３つの場合における赤、緑および青のスペクトルを示すグラフである。
【図２９】＃７、＃８および＃９の３つの場合について、色再現範囲を示すｕ’ｖ’色度図である。
【図３０】＃７、＃８および＃９の３つの場合における赤、緑および青のスペクトルを示すグラフである。
【図３１】本発明の実施形態による表示装置３００を模式的に示す平面図である。
【図３２】表示装置３００の赤色発光素子１ｒ、緑色発光素子１ｇ、第１青色発光素子１ｂａおよび第２青色発光素子１ｂｂが発する赤色光、緑色光および青色光のスペクトルを示すグラフである。
【図３３】比較例２の表示装置と、表示装置３００とについて、色再現範囲を示すｕ’ｖ’色度図である。
【図３４】比較例２の表示装置と、表示装置３００とについて、個人差ΔＥを計算した結果を示すグラフである。
【図３５】本発明の実施形態による表示装置３００Ａを模式的に示す平面図である。
【図３６】本発明の実施形態による表示装置３００Ｂを模式的に示す平面図である。
【図３７】本発明の実施形態による表示装置４００を模式的に示す平面図である。
【図３８】表示装置４００を模式的に示す断面図である。
【図３９】表示装置４００の赤色光源２１ｒ、緑色光源２１ｇ、青色光源２１ｂおよび黄色光源２１ｙが発する赤色光、緑色光、青色光および黄色光のスペクトルを示すグラフである。
【図４０】表示装置４００の赤カラーフィルタ１４ｒ、緑カラーフィルタ１４ｇ、青カラーフィルタ１４ｂおよび黄カラーフィルタ１４ｙの分光透過特性を示すグラフである。
【図４１】表示装置４００の赤サブ画素Ｒ、緑サブ画素Ｇ、青サブ画素Ｂおよび黄サブ画素Ｙｅによって表示される赤、緑、青および黄（つまり表示に用いられる原色）のスペクトルを示すグラフである。
【図４２】比較例３の表示装置と、表示装置４００とについて、色再現範囲を示すｕ’ｖ’色度図である。
【図４３】比較例３の表示装置と、表示装置４００とについて、個人差ΔＥを計算した結果を示すグラフである。
【図４４】比較例３の表示装置の赤色光源、緑色光源および青色光源が発する赤色光、緑色光および青色光のスペクトルを示すグラフである。
【図４５】比較例３の表示装置の赤カラーフィルタ、緑カラーフィルタおよび青カラーフィルタの分光透過特性を示すグラフである。
【図４６】比較例３の表示装置の赤サブ画素、緑サブ画素および青サブ画素によって表示される赤、緑および青（つまり表示に用いられる原色）のスペクトルを示すグラフである。
【発明を実施するための形態】
【００１９】
以下、図面を参照しながら本発明の実施形態を説明する。なお、本発明は以下の実施形態に限定されるものではない。
【００２０】
（実施形態１）
図１に、本実施形態における表示装置１００を示す。図１は、表示装置１００を模式的に示す平面図である。
【００２１】
表示装置１００は、図１に示すように、自発光型の表示パネル１０を備える。また、表示装置１００は、複数の画素Ｐを有する。
【００２２】
複数の画素Ｐは、行および列を有するマトリクス状に配列されている。複数の画素Ｐのそれぞれは、赤サブ画素Ｒ、緑サブ画素Ｇおよび青サブ画素Ｂを含む複数のサブ画素によって構成される。
【００２３】
表示パネル１０は、赤サブ画素Ｒに対応する領域に設けられた赤色発光素子１ｒと、緑サブ画素Ｇに対応する領域に設けられた緑色発光素子１ｇと、青サブ画素Ｂに対応する領域に設けられた青色発光素子１ｂとを有する。赤色発光素子１ｒ、緑色発光素子１ｇおよび青色発光素子１ｂは、例えば有機ＥＬ素子である。勿論、赤色発光素子１ｒ、緑色発光素子１ｇおよび青色発光素子１ｂとしては、有機ＥＬ素子に限定されず、公知の種々の自発光素子（例えば無機ＥＬ素子）を用いることができる。
【００２４】
本実施形態の表示装置１００では、図２に示すように、赤色発光素子１ｒ、緑色発光素子１ｇおよび青色発光素子１ｂが発する赤色光、緑色光および青色光のスペクトル半値幅（半値全幅）は、それぞれ１０ｎｍ以下である。また、各画素Ｐを構成する複数のサブ画素は、図１に示すように、黄サブ画素Ｙｅをさらに含んでおり、表示パネル１０は、黄サブ画素Ｙｅに対応する領域に設けられた黄色発光素子１ｙをさらに有する。黄色発光素子１ｙが発する黄色光の主波長は、５５０ｎｍ以上６００ｎｍ以下である。黄色発光素子１ｙは、例えば有機ＥＬ素子である。勿論、黄色発光素子１ｙとしては、有機ＥＬ素子に限定されず、公知の種々の自発光素子（例えば無機ＥＬ素子）を用いることができる。
【００２５】
上述したように、本実施形態では、赤色発光素子１ｒ、緑色発光素子１ｇおよび青色発光素子１ｂが発する赤色光、緑色光および青色光のスペクトル半値幅がそれぞれ１０ｎｍ以下であり、一般的な自発光型の表示装置よりも狭い。そのため、本実施形態の表示装置１００は、色再現範囲が広い。
【００２６】
また、本実施形態の表示装置１００では、表示パネル１０が、主波長が５５０ｎｍ以上６００ｎｍ以下の黄色光を発する黄色発光素子１ｙを有している（つまり各画素Ｐを構成する複数のサブ画素が黄サブ画素Ｙｅを含んでいる）ことにより、観察者に認識される色のばらつきが軽減される。以下、この理由を詳しく説明する。
【００２７】
図３は、ＣＩＥ（国際照明委員会）によって規定されたＸＹＺ表色系の等色関数Ｘ（λ）、Ｙ（λ）およびＺ（λ）を示すグラフである。図３に示されているＣＩＥの等色関数は、等色関数が策定された当時における等色実験の被験者の平均値から求めた関数であり、本来、等色関数には個人差が存在する。そのため、ある色を表示している表示装置を複数の観察者が観察した場合、表示されている色は同じであるにもかかわらず、各観察者に認識される色は異なり得る。また、三原色のスペクトルが狭帯域になるほど、等色関数の個人差の影響が大きくなる。
【００２８】
図４を参照しながら、等色関数の個人差をより詳しく説明する。
【００２９】
図４（ａ）、（ｂ）および（ｃ）は、ＣＩＥの等色関数、観察者Ｖ１の等色関数および観察者Ｖ２の等色関数を示すグラフである。図４（ａ）はＸ（λ）を示しており、図４（ｂ）はＹ（λ）を示しており、図４（ｃ）はＺ（λ）を示している。
【００３０】
図４（ａ）、（ｂ）および（ｃ）に示されているように、ＣＩＥの等色関数、観察者Ｖ１の等色関数および観察者Ｖ２の等色関数は、互いに異なっている。このことから、等色関数に個人差が存在していることがわかる。
【００３１】
また、図４（ａ）および（ｂ）から、等色関数Ｘ（λ）およびＹ（λ）については、５５０ｎｍ付近から６３０ｎｍ付近までの波長範囲で個人差が大きいことがわかる。さらに、図４（ｃ）から、等色関数Ｚ（λ）については、４００ｎｍ付近から５００ｎｍ付近までの波長範囲で個人差が大きいことがわかる。
【００３２】
ここで、図５を参照しながら、非常に急峻なスペクトルの（つまりほぼ単波長の）赤および緑を発光させ、それらの加法混色によって黄を作る場合を考える。具体的には、波長６３０ｎｍの赤および波長５３０ｎｍの緑の加法混色によって波長５９０ｎｍの黄を作る場合を考える。図５（ａ）、（ｂ）および（ｃ）には、図４（ａ）、（ｂ）および（ｃ）に示したのと同じ等色関数が示されており、さらに、発光させる赤および緑と、加法混色によって作られる黄とが実線および破線のバーで模式的に示されている。図中に示されているように、波長６３０ｎｍで発光強度が１．８５の赤と、波長５３０ｎｍで発光強度が０．５の緑とを加法混色すると、波長５９０ｎｍ、発光強度１．１に相当する黄を作り出すことができる。
【００３３】
例えば、図５（ａ）に示されている等色関数Ｘ（λ）に着目する。図５（ａ）からわかるように、波長５３０ｎｍおよび６３０ｎｍ付近では、等色関数Ｘ（λ）の個人差は非常に小さい。これに対し、既に説明したことからわかるように、波長５９０ｎｍ付近では、等色関数Ｘ（λ）の個人差は大きい。なお、図５（ａ）中に赤および緑を示すものとして表されているバーの近くに付された「０．６」および「０．２」という数値は、波長６３０ｎｍで発光強度１の赤を観察したとき、および波長５３０ｎｍで発光強度１の緑を観察したときのＸの値である（図５（ｂ）中の「０．２」および「０．８」も同様である）。
【００３４】
上述した赤および緑の加法混色によって作られる黄色は、ＣＩＥにおける標準的な色であるといえる。しかしながら、この黄を、観察者Ｖ１は本来よりも明るく感じ、観察者Ｖ２は本来よりも暗く感じる。
【００３５】
図６を参照しながら、これとは逆に、波長５９０ｎｍの黄を発光させる場合を考える。図６（ａ）、（ｂ）および（ｃ）には、図４（ａ）、（ｂ）および（ｃ）に示したのと同じ等色関数が示されており、さらに、発光させる黄が実線のバーで模式的に示されている。
【００３６】
ここでも、図６（ａ）に示されている等色関数Ｘ（λ）に着目する。なお、図６（ａ）中に黄を示すものとして表されているバーの近くに付された「１．１」、「１．０」および「１．４」という数値は、波長５９０ｎｍで発光強度１の黄を、ＣＩＥの等色関数Ｘ（λ）、観察者Ｖ１の等色関数Ｘ（λ）および観察者Ｖ２の等色関数Ｘ（λ）で観察したときのＸの値である（図６（ｂ）中の「０．６」および「０．７」も同様である）。
【００３７】
上述した黄の発光を、観察者Ｖ１は自身の等色関数で認識し、観察者Ｖ２も自身の等色関数で認識する。そのため、観察者Ｖ１および観察者Ｖ２は、この黄色を本来の明るさで感じるので、等色関数の個人差に起因した色のばらつきが発生しない。このことから、等色関数の個人差に起因した色のばらつきを軽減するためには、等色関数の個人差が大きな波長域で発光を行うことが好ましいことがわかる。
【００３８】
図７に、５１人分の等色関数から算出された、波長ごとの標準偏差を示す。標準偏差の値が高いほど、個人差が大きい。図７から、Ｘ（λ）およびＹ（λ）については、５５０ｎｍから６５０ｎｍまでの波長範囲で等色関数の個人差が大きいことがわかる。
【００３９】
そのため、本実施形態のように、表示パネル１０が、主波長が５５０ｎｍ以上６００ｎｍ以下の黄色光を発する黄色発光素子１ｙを有していると、図８からもわかるように、等色関数の個人差が大きい波長範囲で黄の発光が行われるので、観察者に認識される色のばらつきが軽減される。なお、黄色光の主波長が６００ｎｍを超える必要がないのは、６００ｎｍから６５０ｎｍまでの波長範囲については、赤色光によってカバーし得るからである。
【００４０】
続いて、上述したような黄色発光素子１ｙを設けることによる色のばらつきの軽減効果を検証した結果を説明するが、それに先立ち、三原色（赤、緑および青）のスペクトル半値幅と、色再現範囲と、観察者に認識される色のばらつき（個人差ΔＥ）との関係を説明する。
【００４１】
図９に、三原色のスペクトル半値幅が６．８３ｎｍである場合、２６．２８ｎｍである場合および１２４．５１ｎｍである場合について、色再現範囲を示す。図９からわかるように、三原色のスペクトル半値幅が狭くなるほど、色再現範囲は広くなる。そのため、三原色のスペクトル半値幅を狭くすることによって、広色域化を実現することができる。
【００４２】
ただし、三原色のスペクトル半値幅を狭くすると、等色関数の個人差に起因した色のばらつきが大きくなってしまう。下記表１に、三原色のスペクトル半値幅が異なる３つの場合（＃１、＃２および＃３）について、個人差ΔＥを計算した結果を示す。なお、＃１は、赤、緑および青のスペクトル半値幅がそれぞれ１０ｎｍの場合であり、＃２は、赤、緑および青のスペクトル半値幅がそれぞれ３０ｎｍの場合であり、＃３は、赤、緑および青のスペクトル半値幅が５０ｎｍ、７５ｎｍおよび５０ｎｍの場合である。＃１、＃２および＃３のそれぞれの場合における赤、緑および青のスペクトルは、図１０に示す通りである。また、個人差ΔＥとしては、色再現評価用標準物体色分光（ＳＯＣＳ）データベースから抜粋した１５色分の個人差ΔＥと、それらの平均とが示されている。個人差ΔＥの計算方法については後に詳述する。
【００４３】
【表１】
2016173876.tif 000003
【００４４】
表１からわかるように、＃３では個人差ΔＥの平均が０．９１であったのに対し、＃２では個人差ΔＥの平均は１．５０であり、＃１では個人差ΔＥの平均は２．００であった。このように、三原色のスペクトル半値幅を狭くするほど、個人差ΔＥが大きくなってしまう。特に、三原色のスペクトル半値幅が１０ｎｍ以下となると、個人差ΔＥの平均が２．００以上となってしまう。
【００４５】
図１１に、比較例１の表示装置と、本実施形態の表示装置１００とについて、色再現範囲を示す。また、下記表２および図１２に、比較例１の表示装置と、本実施形態の表示装置１００とについて、個人差ΔＥを計算した結果を示す。比較例１の表示装置では、各画素は、赤サブ画素、緑サブ画素および青サブ画素から構成されており、赤、緑および青のスペクトル半値幅はそれぞれ１０ｎｍである（つまり上述した＃１に対応する）。図１２には、１５色分の個人差ΔＥが示されており、表２には、１５色分の個人差ΔＥに加え、平均の個人差ΔＥおよび最大の個人差ΔＥが示されている。
【００４６】
【表２】
2016173876.tif 000004
【００４７】
図１１からわかるように、比較例１の表示装置と、本実施形態の表示装置１００とで、色再現範囲はほぼ同じである。また、表２および図１２からわかるように、本実施形態の表示装置１００では、１５色分の個人差ΔＥ、平均の個人差ΔＥおよび最大の個人差ΔＥのいずれもが、比較例１の表示装置よりも小さい。
【００４８】
このように、本実施形態の表示装置１００では、色再現範囲を狭くすることなく、個人差ΔＥを小さくすることができる。従って、観察者に認識される色が等色関数の個人差に起因してばらつくことが軽減される。
【００４９】
なお、黄色発光素子１ｙが発する黄色光のスペクトルは、図２などに例示したものに限定されない。図２に示した例では、黄色光のスペクトル半値幅は２０ｎｍであるが、例えば図１３に示すような、よりブロードなスペクトルの黄色光を発する黄色発光素子１ｙを設けてもよい。その場合でも、図１４に示すように、等色関数の個人差が大きい波長範囲で黄の発光が行われるので、観察者に認識される色のばらつきが軽減される。
【００５０】
図１５に、比較例１の表示装置と、本実施形態の表示装置１００において図１３に示したスペクトルの黄色光を発する黄色発光素子１ｙを用いた場合とについて、色再現範囲を示す。また、下記表３および図１６に、比較例１の表示装置と、本実施形態の表示装置１００において図１３に示したスペクトルの黄色光を発する黄色発光素子１ｙを用いた場合とについて、個人差ΔＥを計算した結果を示す。なお、図１５には、参考のため、本実施形態の表示装置１００において図２に示したスペクトルの黄色光を発する黄色発光素子１ｙを用いた場合の色再現範囲も示している。
【００５１】
【表３】
2016173876.tif 000005
【００５２】
図１５からわかるように、ブロードなスペクトルの黄色光を発する黄色発光素子１ｙを設けた場合でも、色再現範囲は比較例１の表示装置とほぼ同じである。また、表３および図１６からわかるように、ブロードなスペクトルの黄色光を発する黄色発光素子１ｙを設けた場合でも、１５色分の個人差ΔＥ、平均の個人差ΔＥおよび最大の個人差ΔＥのいずれもが、比較例１の表示装置よりも小さい。
【００５３】
また、図１には、画素Ｐ内で左側から右側に向かって赤サブ画素Ｒ、緑サブ画素Ｇ、青サブ画素Ｂおよび黄サブ画素Ｙｅがこの順で配置されている構成を例示したが、画素Ｐ内における複数のサブ画素の配置は、図１に例示したものに限定されない。画素Ｐ内で赤サブ画素Ｒ、緑サブ画素Ｇ、青サブ画素Ｂおよび黄サブ画素Ｙｅは、任意の順番で配置され得る。
【００５４】
さらに、図１には、画素Ｐ内で複数のサブ画素が１行複数列に配置されている構成を例示したが、複数のサブ画素は、画素Ｐ内で複数行１列に配置されていてもよい。あるいは、複数のサブ画素は、画素Ｐ内で複数行複数列に（つまりマトリクス状に）配置されていてもよい。
【００５５】
また、本実施形態では、各画素Ｐが４つのサブ画素（赤サブ画素Ｒ、緑サブ画素Ｇ、青サブ画素Ｂおよび黄サブ画素Ｙｅ）から構成されている構成を例示したが、各画素Ｐは５つ以上のサブ画素から構成されてもよい。例えば、各画素Ｐを構成する複数のサブ画素は、赤サブ画素Ｒ、緑サブ画素Ｇ、青サブ画素Ｂおよび黄サブ画素Ｙｅに加えて、シアンサブ画素を含んでもよい。その場合、表示パネル１０のシアンサブ画素に対応する領域には、シアン色光を発するシアン色発光素子が設けられる。
【００５６】
なお、図１１に示した例では、黄サブ画素Ｙｅによって表示される黄の色度は、色度図上で赤サブ画素Ｒ、緑サブ画素Ｇおよび青サブ画素Ｂによって表示される赤、緑および青の色度を頂点とする三角形の辺上に位置しているが、黄の色度は、この三角形の内側または外側に位置してもよい。黄サブ画素Ｙｅによって表示される黄の色度が、色度図上で上述した三角形の外側に位置していると、色再現範囲をさらに広くすることができる。勿論、観察者に認識される色のばらつきを軽減することもできる。一方、黄サブ画素Ｙｅによって表示される黄の色度が、色度図上で上述した三角形の辺上または内側に位置していると、色再現範囲をさらに広くすることはできないものの、観察者に認識される色のばらつきを軽減することはできる。また、パネル全体の発光効率が向上するという利点が得られる。
【００５７】
ここで、観察者に認識される色のばらつきの評価方法（つまり個人差ΔＥの計算方法）を説明する。
【００５８】
各画素が３つのサブ画素（赤サブ画素、緑サブ画素および青サブ画素）から構成されている場合（比較例１の表示装置に対応）、以下のようにして評価を行うことができる。
【００５９】
（１）加法混色によりＤ６５標準光源と同じ白となるように赤、緑および青の係数（強度）Ｒｗ、ＧｗおよびＢｗを調整・決定する。
【００６０】
（２）ＳＯＣＳデータベースから抜粋した１５色のうちからさらに１色（ここではＣ１とする）をピックアップし、加法混色によりこの色Ｃ１となるように赤、緑および青の係数（強度）Ｒｃ１、Ｇｃ１およびＢｃ１を調整・決定する。ＳＯＣＳデータベースから抜粋された１５色（色番号１〜１５）のスペクトルは図１７に示す通りであり、これら１５色の色度は図１８に示す通りである。
【００６１】
（３）Ｄ６５標準光源およびピックアップされた色Ｃ１について、５１人分の等色関数を用いて各自に知覚される色（Xwi, Ywi, Zwi）、（Xi, Yi, Zi）を算出する（ｉ＝１〜５１）。５１人分の等色関数は、図１９に示す通りである。
【００６２】
（４）Ｄ６５標準光源およびピックアップされた色Ｃ１について、ＣＩＥの標準等色関数を用い、標準等色関数で観察が行われた場合に知覚されるであろう色（Xwcie, Ywcie, Zwcie）、（Xcie, Ycie, Zcie）を算出する。
【００６３】
（５）上記工程（３）で算出された（Xwi, Ywi, Zwi）、（Xi, Yi, Zi）から、（L*i, a*i, b*i）を算出する。（L*i, a*i, b*i）は、下記式（１）〜（３）により算出される。
L*i=116f(Yi/Ywi)-16            ・・・（１）
a*i=500[f(Xi/Xwi)-f(Yi/Ywi)]    ・・・（２）
b*i=200[f(Yi/Ywi)-f(Zi/Zwi)]    ・・・（３）
【００６４】
ここで、ｔ＞（６／２９）3の場合、ｆ（ｔ）＝ｔ-3であり、それ以外の場合には、ｆ（ｔ）＝（１／３）（２９／６）2ｔ＋（４／２９）である。
【００６５】
（６）同様にして、上記工程（４）で算出された（Xwcie, Ywcie, Zwcie）、（Xcie, Ycie, Zcie）から、（L*cie, a*cie, b*cie）を算出する。
【００６６】
（７）上記工程（５）および（６）で算出された（L*i, a*i, b*i）および（L*cie, a*cie, b*cie）から、一人ひとりのΔＥを算出する。ΔＥは、下記式（４）により算出される。
ΔE=[(L*cie-L*i)2+(a*cie-a*i)2+(b*cie-b*i)2]1/2      ・・・（４）
【００６７】
（８）５１人分のΔＥを平均することによって、色Ｃ１についての個人差ΔＥを求める。
【００６８】
（９）同様にして、残りの１４色についても個人差ΔＥを求め、さらに、１５色の平均の個人差ΔＥも求める。
【００６９】
各画素Ｐが４つのサブ画素（赤サブ画素Ｒ、緑サブ画素Ｇ、青サブ画素Ｂおよび黄サブ画素Ｙｅ）から構成されている場合（本実施形態の表示装置１００に対応）も、基本的には同様にして評価を行うことができる。ただし、表示に用いられる原色の数が４の場合に特有の色の冗長性（同じ色を作るための原色強度の組み合わせが複数存在すること）のために、計算がさらに複雑になる。具体的には、原色の数が４の場合、評価工程（２）〜（５）の間で係数を最適化手法を用いて決定する点が、原色の数が３の場合と異なっている。
【００７０】
原色の数が４の場合、ある色を表示する（加法混色により作る）ための原色の強度の組み合わせが複数存在する。そのため、工程（２）において４色の係数（強度）Ｒｃ１、Ｇｃ１、Ｂｃ１およびＹｃ１を変数で仮置きした上で、ΔＥが最小となるように、ＧＲＧ（Generalized Reduced Gradient）法などの最適化手法を用いて、４色の係数を求めればよい。
【００７１】
（実施形態２）
図２０に、本実施形態における表示装置２００を示す。図２０は、表示装置２００を模式的に示す平面図である。
【００７２】
表示装置２００は、図２０に示すように、自発光型の表示パネル１０を備える。また、表示装置２００は、複数の画素Ｐを有する。
【００７３】
複数の画素Ｐは、行および列を有するマトリクス状に配列されている。複数の画素Ｐのそれぞれは、赤サブ画素Ｒ、緑サブ画素Ｇおよび青サブ画素Ｂから構成されている。つまり、各画素Ｐを構成する複数のサブ画素は、黄サブ画素を含んでいない。
【００７４】
表示パネル１０は、赤サブ画素Ｒに対応する領域に設けられた赤色発光素子１ｒと、緑サブ画素Ｇに対応する領域に設けられた緑色発光素子１ｇと、青サブ画素Ｂに対応する領域に設けられた青色発光素子１ｂとを有する。赤色発光素子１ｒ、緑色発光素子１ｇおよび青色発光素子１ｂは、例えば、有機ＥＬ素子である。勿論、赤色発光素子１ｒ、緑色発光素子１ｇおよび青色発光素子１ｂとしては、有機ＥＬ素子に限定されず、公知の種々の自発光素子（例えば無機ＥＬ素子）を用いることができる。
【００７５】
図２１に、赤色発光素子１ｒ、緑色発光素子１ｇおよび青色発光素子１ｂが発する赤色光、緑色光および青色光のスペクトルを示す。図２１に示すように、青色発光素子１ｂが発する青色光は、波長が５２５ｎｍを超える成分を実質的に含まず、且つ、そのスペクトル半値幅が２０ｎｍ超である。つまり、青色光のスペクトルは、波長５２５ｎｍ以下の範囲で広帯域化されている。
【００７６】
ここで、再び図７を参照されたい。図７から、４００ｎｍから５００ｎｍまでの波長範囲で等色関数（特にＺ（λ））の個人差が大きいことがわかる。
【００７７】
本実施形態の表示装置２００では、上述したように、青色発光素子１ｂが発する青色光のスペクトルが、波長５２５ｎｍ以下の範囲で広帯域化されており、図２２からもわかるように、等色関数の個人差が大きい波長範囲（４００ｎｍ〜５００ｎｍ）を広くカバーするように青の発光が行われるので、観察者に認識される色のばらつきが軽減される。
【００７８】
また、青色光のスペクトルを、波長５２５ｎｍ以下の範囲で広帯域化（つまりスペクトル半値幅を大きく）しても、青の色度はほとんど変化せず、色再現範囲にはほとんど影響しない。そのため、本実施形態の表示装置２００では、色再現範囲を狭くすることなく、等色関数の個人差に起因した色のばらつきを軽減することができる。
【００７９】
図２３に、比較例２の表示装置と、本実施形態の表示装置２００とについて、色再現範囲を示す。また、下記表４に、比較例２の表示装置と、本実施形態の表示装置２００とについて、赤、緑および青の色度ｕ’、ｖ’を示す。さらに、下記表５および図２４に、比較例２の表示装置と、本実施形態の表示装置２００とについて、個人差ΔＥを計算した結果を示す。比較例２の表示装置では、各画素は、赤サブ画素、緑サブ画素および青サブ画素から構成されており、赤、緑および青のスペクトルは、図２５に示す通りである。図２５に示されているように、比較例２の表示装置では、青のスペクトル半値幅が２０ｎｍである。つまり、比較例２の表示装置では、青のスペクトルは広帯域化されていない。
【００８０】
【表４】
2016173876.tif 000006
【００８１】
【表５】
2016173876.tif 000007
【００８２】
図２３からわかるように、比較例２の表示装置と、本実施形態の表示装置２００とで、色再現範囲はほぼ同じである。これは、表３からわかるように、青の色度がほとんど同じだからである。また、表５および図２４からわかるように、本実施形態の表示装置２００では、１５色分の個人差ΔＥ、平均の個人差ΔＥおよび最大の個人差ΔＥのいずれもが、比較例２の表示装置よりも小さい。
【００８３】
なお、表１を参照しながら説明したように、個人差ΔＥは、三原色のスペクトル半値幅を狭くするほど大きくなる。具体的には、三原色のスペクトル半値幅が３０ｎｍ以下となると、個人差ΔＥの平均が１．５０以上となり、三原色のスペクトル半値幅が１０ｎｍ以下となると、個人差ΔＥの平均が２．００以上となる。従って、青色光のスペクトルを波長５２５ｎｍ以下の範囲で広帯域化することによる効果（等色関数の個人差に起因した色のばらつきを軽減する効果）は、赤および緑のスペクトル半値幅が狭くなるほど高くなるといえる。より具体的には、上記の効果は、赤色発光素子１ｒおよび緑色発光素子１ｇが発する赤色光および緑色光のスペクトル半値幅がそれぞれ３０ｎｍ以下であるときにより高く、赤色光および緑色光のスペクトル半値幅がそれぞれ１０ｎｍ以下であるときにいっそう高いといえる。
【００８４】
また、等色関数の個人差に起因した色のばらつきをより確実に軽減する観点からは、青色発光素子１ｂが発する青色光のスペクトル半値幅は、３０ｎｍ以上であることが好ましく、５０ｎｍ以上であることがより好ましい。
【００８５】
また、図２０には、各画素Ｐが赤サブ画素Ｒ、緑サブ画素Ｇおよび青サブ画素Ｂから構成されている構成を例示したが、図２６に示す表示装置２００Ａのように、各画素Ｐを構成する複数のサブ画素が、赤サブ画素Ｒ、緑サブ画素Ｇおよび青サブ画素Ｂに加え、黄サブ画素Ｙｅを含んでいてもよい。黄サブ画素Ｙｅに対応する領域に設けられた黄色発光素子１ｙは、主波長が５５０ｎｍ以上６００ｎｍ以下の黄色光を発することが好ましい。
【００８６】
図２６に示した構成を採用することにより、Ｚ（λ）の個人差が大きい波長範囲（４００ｎｍ〜５００ｎｍ）だけでなく、Ｘ（λ）およびＹ（λ）の個人差が大きい波長範囲（５５０ｎｍ〜６００ｎｍ）でも発光が行われるので、観察者に認識される色のばらつきをいっそう軽減することができる。
【００８７】
なお、本実施形態では、上述したように青色光のスペクトルを広帯域化するが、赤色光や緑色光のスペクトルを広帯域化することによっても、等色関数の個人差に起因した色のばらつきを軽減することができると考えられる。しかしながら、赤色光や緑色光のスペクトルを広帯域化すると、以下に説明するように、色再現範囲が狭くなってしまう。
【００８８】
下記表６に、赤のスペクトル半値幅が異なる３つの場合（＃４、＃５および＃６）について、個人差ΔＥを計算した結果を示す。また、図２７に、＃４、＃５および＃６の３つの場合について、色再現範囲を示す。＃４は、赤のスペクトル半値幅が２０ｎｍの場合であり、＃５は、赤のスペクトル半値幅が４０ｎｍの場合であり、＃６は、赤のスペクトル半値幅が８０ｎｍの場合である。＃４、＃５および＃６のそれぞれの場合における赤、緑および青のスペクトルは、図２８に示す通りである。
【００８９】
【表６】
2016173876.tif 000008
【００９０】
表６からわかるように、＃４では個人差ΔＥの平均が１．４１であったのに対し、＃５では個人差ΔＥの平均は１．２２であり、＃６では個人差ΔＥの平均は１．０７であった。このように、赤のスペクトル半値幅を広くするほど、個人差ΔＥは小さくなる。
【００９１】
しかしながら、図２７からわかるように、＃５の場合の色再現範囲は、＃４の場合の色再現範囲よりも狭く、また、＃６の場合の色再現範囲はさらに狭い。つまり、赤のスペクトル半値幅を広くするほど、色再現範囲は狭くなってしまう。
【００９２】
下記表７に、緑のスペクトル半値幅が異なる３つの場合（＃７、＃８および＃９）について、個人差ΔＥを計算した結果を示す。また、図２９に、＃７、＃８および＃９の３つの場合について、色再現範囲を示す。＃７は、緑のスペクトル半値幅が４０ｎｍの場合であり、＃８は、緑のスペクトル半値幅が６０ｎｍの場合であり、＃９は、緑のスペクトル半値幅が８０ｎｍの場合である。＃７、＃８および＃９のそれぞれの場合における赤、緑および青のスペクトルは、図３０に示す通りである。
【００９３】
【表７】
2016173876.tif 000009
【００９４】
表７からわかるように、＃７では個人差ΔＥの平均が１．５２であったのに対し、＃８では個人差ΔＥの平均は１．３４であり、＃９では個人差ΔＥの平均は１．１８であった。このように、緑のスペクトル半値幅を広くするほど、個人差ΔＥは小さくなる。
【００９５】
しかしながら、図２９からわかるように、＃８の場合の色再現範囲は、＃７の場合の色再現範囲よりも狭く、また、＃９の場合の色再現範囲はさらに狭い。つまり、緑のスペクトル半値幅を広くするほど、色再現範囲は狭くなってしまう。
【００９６】
このように、赤色光や緑色光のスペクトルを広帯域化すると、等色関数の個人差に起因した色のばらつきを軽減し得るものの、色再現範囲が狭くなってしまう。
【００９７】
これに対し、本実施形態のように、青色光のスペクトルを波長５２５ｎｍ以下の範囲で広帯域化する（あるいは、実施形態１のように黄サブ画素Ｙｅ（黄色発光素子１ｙ）を設ける）ことにより、色再現範囲を狭くすることなく、等色関数の個人差に起因した色のばらつきを軽減することができる。
【００９８】
（実施形態３）
図３１に、本実施形態における表示装置３００を示す。図３１は、表示装置３００を模式的に示す平面図である。
【００９９】
表示装置３００は、図３１に示すように、自発光型の表示パネル１０を備える。また、表示装置３００は、複数の画素Ｐを有する。
【０１００】
複数の画素Ｐは、行および列を有するマトリクス状に配列されている。複数の画素Ｐのそれぞれは、赤サブ画素Ｒ、緑サブ画素Ｇおよび青サブ画素Ｂから構成されている。つまり、各画素Ｐを構成する複数のサブ画素は、黄サブ画素を含んでいない。
【０１０１】
表示パネル１０は、赤色光を発する赤色発光素子１ｒと、緑色光を発する緑色発光素子１ｇと、互いに異なるスペクトルの青色光を発する第１青色発光素子１ｂａおよび第２青色発光素子１ｂｂとを有する。
【０１０２】
赤色発光素子１ｒは、表示パネル１０の赤サブ画素Ｒに対応する領域に設けられており、緑色発光素子１ｇは、表示パネル１０の緑サブ画素ｇに対応する領域に設けられている。また、表示パネル１０の青サブ画素Ｂに対応する領域に、第１青色発光素子１ｂａおよび第２青色発光素子１ｂｂの両方が設けられている。つまり、１つの青サブ画素Ｂに対応して２つの青色発光素子１ｂａおよび１ｂｂが配置されている。
【０１０３】
赤色発光素子１ｒ、緑色発光素子１ｇ、第１青色発光素子１ｂａおよび第２青色発光素子１ｂｂは、例えば有機ＥＬ素子である。勿論、赤色発光素子１ｒ、緑色発光素子１ｇ、第１青色発光素子１ｂａおよび第２青色発光素子１ｂｂとしては、有機ＥＬ素子に限定されず、公知の種々の自発光素子（例えば無機ＥＬ素子）を用いることができる。
【０１０４】
図３２に、赤色発光素子１ｒ、緑色発光素子１ｇ、第１青色発光素子１ｂａおよび第２青色発光素子１ｂｂが発する赤色光、緑色光および青色光のスペクトルを示す。図３２に示すように、第１青色発光素子１ｂａが発する青色光のスペクトル（図３２中の「Ｂ１」）と、第２青色発光素子１ｂｂが発する青色光のスペクトル（図３２中の「Ｂ２」）とは、互いに異なっている。図３２に示している例では、第１青色発光素子１ｂａが発する青色光の主波長は４１９ｎｍであり、第２青色発光素子１ｂｂが発する青色光の主波長は４６４ｎｍである。また、第１青色発光素子１ｂａが発する青色光および第２青色発光素子１ｂｂが発する青色光は、いずれも波長が５２５ｎｍを超える成分を実質的に含まない。
【０１０５】
本実施形態の表示装置３００では、上述したように、表示パネル１０が、互いに異なるスペクトルの青色光を発する第１青色発光素子１ｂａおよび第２青色発光素子１ｂｂを有する。そのため、等色関数の個人差が大きい波長範囲（４００ｎｍ〜５００ｎｍ）を広くカバーするように青の発光が行われるので、観察者に認識される色のばらつきが軽減される。
【０１０６】
また、２種類の青色発光素子（第１青色発光素子１ｂａおよび第２青色発光素子１ｂｂ）が設けられる場合、原色の１つとしての青は、これら２種類の青色発光素子１ｂａおよび１ｂｂが発する青色光の加法混色により作られることになる。２種類の青色発光素子１ｂａおよび１ｂｂの発光スペクトルを適切に設定することにより、青の色度をほとんど変化させず、色再現範囲への影響をほぼなくすことができる。そのため、本実施形態の表示装置３００では、色再現範囲を狭くすることなく、等色関数の個人差に起因した色のばらつきを軽減することができる。
【０１０７】
図３３に、比較例２の表示装置（実施形態２で言及したものである）と、本実施形態の表示装置３００とについて、色再現範囲を示す。また、下記表８および図３４に、比較例２の表示装置と、本実施形態の表示装置３００とについて、個人差ΔＥを計算した結果を示す。
【０１０８】
【表８】
2016173876.tif 000010
【０１０９】
図３３からわかるように、比較例２の表示装置と、本実施形態の表示装置３００とで、色再現範囲はほぼ同じである。また、表８および図３４からわかるように、本実施形態の表示装置３００では、１５色分の個人差ΔＥおよび平均の個人差ΔＥのいずれもが、比較例２の表示装置よりも小さい。
【０１１０】
上述したように、本実施形態の表示装置３００では、色再現範囲を狭くすることなく、等色関数の個人差に起因した色のばらつきを軽減することができる。
【０１１１】
なお、等色関数の個人差に起因した色のばらつきをより確実に軽減する観点からは、第１青色発光素子１ｂａが発する青色光の主波長は４００ｎｍ以上４５０ｎｍ未満で、且つ、第２青色発光素子１ｂｂが発する青色光の主波長は４５０ｎｍ超５１５ｎｍ以下であることが好ましい。
【０１１２】
また、表１を参照しながら説明したように、個人差ΔＥは、三原色のスペクトル半値幅を狭くするほど大きくなる。具体的には、三原色のスペクトル半値幅が３０ｎｍ以下となると、個人差ΔＥの平均が１．５０以上となり、三原色のスペクトル半値幅が１０ｎｍ以下となると、個人差ΔＥの平均が２．００以上となる。従って、２種類の青色発光素子１ｂａおよび１ｂｂを設けることによる効果（等色関数の個人差に起因した色のばらつきを軽減する効果）は、赤および緑のスペクトル半値幅が狭くなるほど高くなるといえる。より具体的には、上記の効果は、赤色発光素子１ｒおよび緑色発光素子１ｇが発する赤色光および緑色光のスペクトル半値幅がそれぞれ３０ｎｍ以下であるときにより高く、赤色光および緑色光のスペクトル半値幅がそれぞれ１０ｎｍ以下であるときにいっそう高いといえる。
【０１１３】
また、図３１には、各画素Ｐが赤サブ画素Ｒ、緑サブ画素Ｇおよび青サブ画素Ｂから構成されている構成を例示したが、図３５に示す表示装置３００Ａのように、各画素Ｐを構成する複数のサブ画素が、赤サブ画素Ｒ、緑サブ画素Ｇおよび青サブ画素Ｂに加え、黄サブ画素Ｙｅを含んでいてもよい。黄サブ画素Ｙｅに対応する領域に設けられた黄色発光素子１ｙは、主波長が５５０ｎｍ以上６００ｎｍ以下の黄色光を発することが好ましい。
【０１１４】
図３５に示した構成を採用することにより、Ｚ（λ）の個人差が大きい波長範囲（４００ｎｍ〜５００ｎｍ）だけでなく、Ｘ（λ）およびＹ（λ）の個人差が大きい波長範囲（５５０ｎｍ〜６００ｎｍ）でも発光が行われるので、観察者に認識される色のばらつきをいっそう軽減することができる。
【０１１５】
また、図３１には、表示パネル１０の青サブ画素Ｂに対応する領域に、第１青色発光素子１ｂａおよび第２青色発光素子１ｂｂの両方が設けられている構成を例示したが、必ずしも１つの青サブ画素Ｂに対応して２つの青色発光素子１ｂａおよび１ｂｂが配置されている必要はない。図３６に示す表示装置３００Ｂのように、複数の画素Ｐが、表示パネル１０の青サブ画素Ｂに対応する領域に第１青色発光素子１ｂａが設けられ、且つ、第２青色発光素子１ｂｂは設けられていない画素Ｐ１と、表示パネル１０の青サブ画素Ｂに対応する領域に第２青色発光素子１ｂｂが設けられ、且つ、第１青色発光素子１ｂａは設けられていない画素Ｐ２とを含んでいてもよい。つまり、第１青色発光素子１ｂａおよび第２青色発光素子１ｂｂの一方のみが設けられている画素と、他方のみが設けられている画素とが混在していてもよい。なお、青色発光素子として第１青色発光素子１ｂａのみを含む画素Ｐ１は、行方向および列方向の少なくとも一方について、青色発光素子として第２青色発光素子１ｂｂのみを含む画素Ｐ２に隣接していることが好ましい。
【０１１６】
図３１に示したように、１つの青サブ画素Ｂに対応して２つ（２種類）の青色発光素子１ｂａおよび１ｂｂが配置されている構成を採用すると、画素構造がシンプルなため低コストで実現できるという利点が得られる。一方、図３６に示したように、第１青色発光素子１ｂａおよび第２青色発光素子１ｂｂの一方のみが設けられている画素と、他方のみが設けられている画素とが混在する構成を採用すると、それぞれの色度点を独立に駆動ができるため色域が広がるという利点が得られる。
【０１１７】
（実施形態４）
図３７および図３８に、本実施形態における表示装置４００を示す。図３７は、表示装置４００を模式的に示す平面図であり、図３８は、表示装置４００を模式的に示す断面図である。
【０１１８】
表示装置４００は、図３７および図３８に示すように、液晶表示パネル１０Ｌと、液晶表示パネル１０Ｌに光を照射する照明装置（バックライト）２０とを備える。また、表示装置４００は、複数の画素Ｐを有する。
【０１１９】
液晶表示パネル１０Ｌは、背面側（照明装置２０側）に配置された第１基板（アクティブマトリクス基板）１１と、観察者側に配置された第２基板（対向基板）１２と、これらの間に設けられた液晶層１３とを含む。
【０１２０】
複数の画素Ｐは、行および列を有するマトリクス状に配列されている。複数の画素Ｐのそれぞれは、赤サブ画素Ｒ、緑サブ画素Ｇ、青サブ画素Ｂおよび黄サブ画素Ｙｅから構成されている。
【０１２１】
液晶表示パネル１０Ｌの第１基板１１および第２基板１２は、それぞれ不図示の電極や配向膜を含んでおり、第２基板１２は、さらに、赤サブ画素Ｒ、緑サブ画素Ｇ、青サブ画素Ｂおよび黄サブ画素Ｙｅに対応して設けられた赤カラーフィルタ１４ｒ、緑カラーフィルタ１４ｇ、青カラーフィルタ１４ｂおよび黄カラーフィルタ１４ｙを含んでいる。
【０１２２】
照明装置２０は、赤色光を発する赤色光源２１ｒと、緑色光を発する緑色光源２１ｇと、青色光を発する青色光源２１ｂとを有する。また、照明装置２０は、黄色光を発する黄色光源２１ｙをさらに有する。赤色光源２１ｒ、緑色光源２１ｇ、青色光源２１ｂおよび黄色光源２１ｙは、例えば、発光ダイオード（ＬＥＤ）である。勿論、赤色光源２１ｒ、緑色光源２１ｇ、青色光源２１ｂおよび黄色光源２１ｙとしては、公知の種々の光源を用いることができる。
【０１２３】
図３９に、赤色光源２１ｒ、緑色光源２１ｇ、青色光源２１ｂおよび黄色光源２１ｙが発する赤色光、緑色光、青色光および黄色光のスペクトルを示す。図３９からわかるように、黄色光源２１ｙが発する黄色光の主波長は、５５０ｎｍ以上６００ｎｍ以下である。
【０１２４】
また、赤カラーフィルタ１４ｒ、緑カラーフィルタ１４ｇ、青カラーフィルタ１４ｂおよび黄カラーフィルタ１４ｙの分光透過特性は、図４０に示す通りであり、赤サブ画素Ｒ、緑サブ画素Ｇ、青サブ画素Ｂおよび黄サブ画素Ｙｅによって表示される赤、緑、青および黄（つまり表示に用いられる原色）のスペクトルは、図４１に示す通りである。
【０１２５】
本実施形態の表示装置４００では、照明装置２０が、主波長が５５０ｎｍ以上６００ｎｍ以下の黄色光を発する黄色光源２１ｙを有しているので、図４１からもわかるように、等色関数の個人差が大きい波長範囲（５５０ｎｍ以上６００ｎｍ以下）で黄の発光が行われる。そのため、観察者に認識される色のばらつきが軽減される。
【０１２６】
図４２に、比較例３の表示装置と、本実施形態の表示装置４００とについて、色再現範囲を示す。また、下記表９および図４３に、比較例３の表示装置と、本実施形態の表示装置４００とについて、個人差ΔＥを計算した結果を示す。比較例３の表示装置は、液晶表示パネルと、照明装置とを備えている。比較例３の表示装置では、各画素は、赤サブ画素、緑サブ画素および青サブ画素から構成されている。また、照明装置は、赤色光源、緑色光源および青色光源を有し、液晶表示パネルは、赤カラーフィルタ、緑カラーフィルタおよび青カラーフィルタを含む。比較例３の表示装置について、赤色光源、緑色光源および青色光源が発する赤色光、緑色光および青色光のスペクトルは、図４４に示す通りであり、赤カラーフィルタ、緑カラーフィルタおよび青カラーフィルタの分光透過特性は、図４５に示す通りであり、赤サブ画素、緑サブ画素および青サブ画素によって表示される赤、緑および青（つまり表示に用いられる原色）のスペクトルは、図４６に示す通りである。
【０１２７】
【表９】
2016173876.tif 000011
【０１２８】
図４２からわかるように、比較例３の表示装置と、本実施形態の表示装置４００とでは、原色の色度がやや異なるものの、ほぼ同じ色再現性能が実現されている。また、表９および図４３からわかるように、本実施形態の表示装置４００では、１５色分の個人差ΔＥ、平均の個人差ΔＥおよび最大の個人差ΔＥのいずれもが、比較例３の表示装置よりも小さい。
【０１２９】
上述したように、本実施形態の表示装置４００では、色再現性能を低下させることなく、等色関数の個人差に起因した色のばらつきを軽減することができる。
【０１３０】
なお、本実施形態では、各画素Ｐが４つのサブ画素（赤サブ画素Ｒ、緑サブ画素Ｇ、青サブ画素Ｂおよび黄サブ画素Ｙｅ）から構成されている構成を例示したが、各画素Ｐは５つ以上のサブ画素から構成されてもよい。例えば、各画素Ｐを構成する複数のサブ画素は、赤サブ画素Ｒ、緑サブ画素Ｇ、青サブ画素Ｂおよび黄サブ画素Ｙｅに加えて、シアンサブ画素を含んでもよい。その場合、液晶表示パネル１０Ｌには、シアンサブ画素に対応するシアンカラーフィルタが設けられる。
【０１３１】
本明細書は、以下の項目に記載の表示装置を開示している。
【０１３２】
［項目１］
自発光型の表示パネルを備え、
複数の画素を有する表示装置であって、
前記複数の画素のそれぞれは、赤サブ画素、緑サブ画素および青サブ画素を含む複数のサブ画素によって構成され、
前記表示パネルは、前記赤サブ画素に対応する領域に設けられた赤色発光素子と、前記緑サブ画素に対応する領域に設けられた緑色発光素子と、前記青サブ画素に対応する領域に設けられた青色発光素子とを有し、
前記赤色発光素子、前記緑色発光素子および前記青色発光素子が発する赤色光、緑色光および青色光のスペクトル半値幅は、それぞれ１０ｎｍ以下であり、
前記複数のサブ画素は、黄サブ画素をさらに含み、
前記表示パネルは、前記黄サブ画素に対応する領域に設けられ、主波長が５５０ｎｍ以上６００ｎｍ以下の黄色光を発する黄色発光素子をさらに有する表示装置。
【０１３３】
項目１に記載の表示装置によると、観察者に認識される色が等色関数の個人差に起因してばらつくことが軽減される。
【０１３４】
［項目２］
前記黄サブ画素によって表示される黄の色度は、色度図上で前記赤サブ画素、前記緑サブ画素および前記青サブ画素によって表示される赤、緑および青の色度を頂点とする三角形の辺上または内側に位置する項目１に記載の表示装置。
【０１３５】
［項目３］
自発光型の表示パネルを備え、
複数の画素を有する表示装置であって、
前記複数の画素のそれぞれは、赤サブ画素、緑サブ画素および青サブ画素を含む複数のサブ画素によって構成され、
前記表示パネルは、前記赤サブ画素に対応する領域に設けられた赤色発光素子と、前記緑サブ画素に対応する領域に設けられた緑色発光素子と、前記青サブ画素に対応する領域に設けられた青色発光素子とを有し、
前記青色発光素子が発する青色光は、波長が５２５ｎｍを超える成分を実質的に含まず、且つ、そのスペクトル半値幅が２０ｎｍ超である表示装置。
【０１３６】
項目３に記載の表示装置によると、観察者に認識される色が等色関数の個人差に起因してばらつくことが軽減される。
【０１３７】
［項目４］
自発光型の表示パネルを備え、
複数の画素を有する表示装置であって、
前記表示パネルは、赤色光を発する赤色発光素子と、緑色光を発する緑色発光素子と、互いに異なるスペクトルの青色光を発する第１青色発光素子および第２青色発光素子とを有する表示装置。
【０１３８】
項目４に記載の表示装置によると、観察者に認識される色が等色関数の個人差に起因してばらつくことが軽減される。
【０１３９】
［項目５］
前記複数の画素のそれぞれは、赤サブ画素、緑サブ画素および青サブ画素を含む複数のサブ画素によって構成され、
前記表示パネルの前記青サブ画素に対応する領域に、前記第１青色発光素子および前記第2青色発光素子の両方が設けられている項目４に記載の表示装置。
【０１４０】
［項目６］
前記複数の画素のそれぞれは、赤サブ画素、緑サブ画素および青サブ画素を含む複数のサブ画素によって構成され、
前記複数の画素は、前記表示パネルの前記青サブ画素に対応する領域に前記第１青色発光素子が設けられ、且つ、前記第２青色発光素子は設けられていない画素と、前記表示パネルの前記青サブ画素に対応する領域に前記第２青色発光素子が設けられ、且つ、前記第１青色発光素子は設けられていない画素とを含む項目４に記載の表示装置。
【０１４１】
［項目７］
前記複数のサブ画素は、黄サブ画素をさらに含み、
前記表示パネルは、前記黄サブ画素に対応する領域に設けられ、主波長が５５０ｎｍ以上６００ｎｍ以下の黄色光を発する黄色発光素子をさらに有する項目３、５および６のいずれかに記載の表示装置。
【０１４２】
［項目８］
前記赤色発光素子および前記緑色発光素子が発する赤色光および緑色光のスペクトル半値幅は、それぞれ３０ｎｍ以下である項目３から７のいずれかに記載の表示装置。
【０１４３】
［項目９］
前記赤色発光素子および前記緑色発光素子が発する赤色光および緑色光のスペクトル半値幅は、それぞれ１０ｎｍ以下である項目３から７のいずれかに記載の表示装置。
【０１４４】
［項目１０］
液晶層を含む液晶表示パネルと、
前記液晶表示パネルに光を照射する照明装置と、を備え、
複数の画素を有する表示装置であって、
前記照明装置は、赤色光を発する赤色光源と、緑色光を発する緑色光源と、青色光を発する青色光源とを有し、
前記複数の画素のそれぞれは、赤サブ画素、緑サブ画素、青サブ画素および黄サブ画素を含む複数のサブ画素によって構成され、
前記照明装置は、主波長が５５０ｎｍ以上６００ｎｍ以下の黄色光を発する黄色光源をさらに有する表示装置。
【０１４５】
項目１０に記載の表示装置によると、観察者に認識される色が等色関数の個人差に起因してばらつくことが軽減される。
【産業上の利用可能性】
【０１４６】
本発明の実施形態によると、観察者に認識される色が等色関数の個人差に起因してばらつくことが軽減された表示装置が提供される。
【符号の説明】
【０１４７】
１ｒ  赤色発光素子
１ｇ    緑色発光素子
１ｂ    青色発光素子
１ｂａ    第１青色発光素子
１ｂｂ    第２青色発光素子
１ｙ    黄色発光素子
１０    表示パネル
１０Ｌ    液晶表示パネル
１１    第１基板（アクティブマトリクス基板）
１２    第２基板（対向基板）
１３    液晶層
１４ｒ    赤カラーフィルタ
１４ｇ    緑カラーフィルタ
１４ｂ    青カラーフィルタ
１４ｙ    黄カラーフィルタ
２０    照明装置（バックライト）
２１ｒ    赤色光源
２１ｇ    緑色光源
２１ｂ    青色光源
２１ｙ    黄色光源
１００、２００、２００Ａ、３００、３００Ａ、３００Ｂ、４００    表示装置
Ｐ、Ｐ１、Ｐ２    画素
Ｒ    赤サブ画素
Ｇ    緑サブ画素
Ｂ    青サブ画素
Ｙｅ    黄サブ画素
【図１】
2016173876.tif 000012
【図２】
2016173876.tif 000013
【図３】
2016173876.tif 000014
【図４】
2016173876.tif 000015
【図５】
2016173876.tif 000016
【図６】
2016173876.tif 000017
【図７】
2016173876.tif 000018
【図８】
2016173876.tif 000019
【図９】
2016173876.tif 000020
【図１０】
2016173876.tif 000021
【図１１】
2016173876.tif 000022
【図１２】
2016173876.tif 000023
【図１３】
2016173876.tif 000024
【図１４】
2016173876.tif 000025
【図１５】
2016173876.tif 000026
【図１６】
2016173876.tif 000027
【図１７】
2016173876.tif 000028
【図１８】
2016173876.tif 000029
【図１９】
2016173876.tif 000030
【図２０】
2016173876.tif 000031
【図２１】
2016173876.tif 000032
【図２２】
2016173876.tif 000033
【図２３】
2016173876.tif 000034
【図２４】
2016173876.tif 000035
【図２５】
2016173876.tif 000036
【図２６】
2016173876.tif 000037
【図２７】
2016173876.tif 000038
【図２８】
2016173876.tif 000039
【図２９】
2016173876.tif 000040
【図３０】
2016173876.tif 000041
【図３１】
2016173876.tif 000042
【図３２】
2016173876.tif 000043
【図３３】
2016173876.tif 000044
【図３４】
2016173876.tif 000045
【図３５】
2016173876.tif 000046
【図３６】
2016173876.tif 000047
【図３７】
2016173876.tif 000048
【図３８】
2016173876.tif 000049
【図３９】
2016173876.tif 000050
【図４０】
2016173876.tif 000051
【図４１】
2016173876.tif 000052
【図４２】
2016173876.tif 000053
【図４３】
2016173876.tif 000054
【図４４】
2016173876.tif 000055
【図４５】
2016173876.tif 000056
【図４６】
2016173876.tif 000057